(57)【要約】【課題】  合成樹脂の成形品で構成されるものでありながら、木製の鍵に近い、しっかりとしたタッチ感、剛性および外観を得ることが可能になる鍵盤楽器の鍵を提供する。【解決手段】  合成樹脂の成形品で構成され、天面２６から所定の厚さ以上で下方に延びるとともに、前後方向に連続する中実部２７を有する回動自在の鍵本体２３と、合成樹脂の成形品で構成され、鍵本体２３に天面２６を覆うように取り付けられた鍵カバー２４と、を備えている。【選択図】  図１
2005195987.tif 000002
【特許請求の範囲】
【請求項１】
合成樹脂で構成され、天面から所定の厚さ以上で下方に延びるとともに、前後方向に連続する中実部を有する回動自在の鍵本体と、
合成樹脂で構成され、前記鍵本体に前記天面を覆うように取り付けられた鍵カバーと、
を備えていることを特徴とする鍵盤楽器の鍵。
【請求項２】
前記鍵本体を構成する前記合成樹脂が発泡合成樹脂であることを特徴とする、請求項１に記載の鍵盤楽器の鍵。
【請求項３】
当該鍵は白鍵であり、
当該白鍵の前記中実部の前記所定の厚さが５ｍｍであることを特徴とする、請求項１または２に記載の鍵盤楽器の鍵。
【請求項４】
前記鍵カバーは突起および／または凹部を有し、前記鍵本体は、前記突起および／または前記凹部に係合することによって前記鍵カバーを当該鍵本体に位置決めする凹部および／または突起を有することを特徴とする、請求項１ないし３のいずれかに記載の鍵盤楽器の鍵。
【請求項５】
前記鍵本体はシャーシに回動自在に支持されており、
当該シャーシには、緩衝材で構成され、押鍵時に、前記鍵本体の前記中実部の下面が当接することにより、前記鍵の下方への回動を規制するストッパが設けられていることを特徴とする、請求項１ないし４のいずれかに記載の鍵盤楽器の鍵。
【発明の詳細な説明】
【技術分野】
【０００１】
本発明は、合成樹脂で構成された鍵盤楽器の鍵に関する。
【背景技術】
【０００２】
従来のこの種の鍵盤楽器の鍵として、例えば特許文献１に開示されたものが知られている。この鍵は、電子鍵盤楽器用のものであり、単一の合成樹脂の成形品で構成され、前後方向に延びている。また、鍵は、薄肉の天壁と、その左右の端から下方に延びる左右の薄肉の側壁などで構成されており、これらにより、下方に開放した中空状に形成されている。
【０００３】
図５は、合成樹脂で構成された他の鍵を備えた電子ピアノ用の鍵盤装置の一例を示している。同図に示すように、この鍵盤装置５１は、棚板５２と、棚板５２上に固定されたシャーシ５３と、シャーシ５３に回動自在に支持された複数の鍵５４およびハンマー５５（ともに１つのみ図示）などを備えている。各ハンマー５５は、前後方向（同図の左右方向）に延びるとともに、後部の支点５６を介して、シャーシ５３に回動自在に支持されている。
【０００４】
複数の鍵５４は、複数の白鍵５７（１つのみ図示）および黒鍵（図示せず）で構成されている。鍵５４は、単一の合成樹脂の成形品で構成されており、シャーシ５３の上側を前後方向に延びるとともに、後端部の回動軸５８を介して、シャーシ５３に回動自在に支持されている。また、鍵５４は、薄肉の天壁６１と、その左右の端から下方に延びる左右の薄肉の側壁６２，６２（一方のみ図示）などで構成されており、これらにより、逆Ｕ字状の断面を有し、下方に開放した中空状に形成されている。また、鍵５４には、前側から順に、前壁６３、複数のリブ６４、アクチュエータ部６５、ガイド壁６６および後壁６７が、左右の側壁６２，６２間をつなぐように設けられている。
【０００５】
同図に示す状態から、鍵５４が押鍵されると、鍵５４は回動軸５８を中心として反時計回りに回動し、鍵５４のアクチュエータ部６５が、ハンマー５５の後端部を下方に押圧する。これに伴い、ハンマー５５は、支点５６を中心として時計回りに回動する。このように、押鍵時には、ハンマー５５の荷重が鍵５４に作用し、それにより鍵５４に初期荷重およびタッチの質量感が付与される。
【０００６】
しかし、上述した従来の特許文献１の鍵および図５の鍵５４のいずれにも、次のような問題がある。すなわち、これらの鍵はいずれも、天壁が薄く、中空状であるため、鍵を叩いたときに、空洞感のある軽い音が生じてしまう。このような音は、木製の中実の鍵では生じないため、演奏者に違和感を与える。また、これらの鍵は、合成樹脂製であるとともに中空状であることにより、剛性が比較的低いので、押鍵時にある程度変形し、しっかりとしたタッチ感を得ることができない。さらに、木製の中実の鍵と比較して軽量であるため、鍵を強く叩いたときに、手応えのあるタッチ感や重量感を得ることができない。また、いずれの鍵も、単一の合成樹脂の成形品で構成されているので、鍵の外観を維持するためには、鍵全体を良好な外観を呈する合成樹脂で構成しなければならず、合成樹脂の種類が限定されるという問題もある。
【０００７】
本発明は、上記の課題を解決するためになされたものであり、合成樹脂で構成されるものでありながら、木製の鍵に近い、しっかりとしたタッチ感、剛性および外観を得ることができる鍵盤楽器の鍵を提供することを目的とする。
【０００８】
【特許文献１】実公平６−３１５０８号公報（第２頁、第３図）
【発明の開示】
【課題を解決するための手段】
【０００９】
この目的を達成するために、請求項１に係る鍵盤楽器の鍵は、合成樹脂で構成され、天面から所定の厚さ以上で下方に延びるとともに、前後方向に連続する中実部を有する回動自在の鍵本体と、合成樹脂で構成され、鍵本体に天面を覆うように取り付けられた鍵カバーと、を備えていることを特徴とする。
【００１０】
この鍵盤楽器の鍵によれば、天面から所定の厚さ以上で下方に延びるとともに、前後方向に連続する中実部が設けられているので、この中実部によって、鍵の所要の剛性および重さを確保することができる。鍵の所要の剛性が確保されることによって、押鍵時における鍵の変形を抑制でき、その結果、しっかりとしたタッチ感を得ることができる。また、鍵の所要の重さが確保されることによって、鍵の回動中心回りに作用する慣性モーメントが従来よりも増大するので、鍵を強く叩いたときに、木製の鍵に近い、手応えのあるタッチ感や重量感を得ることができる。また、中実部が鍵本体の天面から所定の厚さ以上で下方に延びているので、鍵を叩いたときに、空洞感のある軽い音が生じることなく、木製の鍵の場合と同じ感覚で演奏を行うことができる。
【００１１】
また、合成樹脂製の鍵本体に、これを覆う合成樹脂製の鍵カバーが取り付けられている。このように、鍵本体と鍵カバーが別体であるため、これらを互いに異なる２種類の合成樹脂の成形品で構成することが可能になる。また、鍵本体の天面を覆うように鍵カバーが取り付けられているので、鍵カバーによって外観を良好に維持することができる。さらに、鍵本体が鍵カバーで覆い隠される結果、鍵本体の外観を考慮することなく、鍵本体の材質として、所望の特性を有する合成樹脂を選択することができる。
【００１２】
請求項２に係る発明は、請求項１に記載の鍵盤楽器の鍵において、鍵本体を構成する合成樹脂が発泡合成樹脂であることを特徴とする。
【００１３】
この構成によれば、鍵本体は、発泡合成樹脂で構成されているので、他の一般的な合成樹脂で構成された鍵本体よりも、比重が低い。したがって、鍵本体の過度の重量化を防止しながら、所要の剛性や中実部の厚さを確保できる。また、発泡合成樹脂は一般に外観が良好ではないものの、前述したように、鍵本体が鍵カバーで覆われているので、鍵本体に影響されることなく、鍵の外観を良好に保つことができる。
【００１４】
請求項３に係る発明は、請求項１または２に記載の鍵盤楽器の鍵において、鍵は白鍵であり、白鍵の中実部の所定の厚さが５ｍｍであることを特徴とする。
【００１５】
この構成によれば、白鍵の鍵本体における中実部の厚さが５ｍｍ以上であるため、鍵の空洞感がなくなり、鍵を叩いたときに軽い音が発生するのを確実に防止することができる。
【００１６】
請求項４に係る発明は、請求項１ないし３のいずれかに記載の鍵盤楽器の鍵において、鍵カバーは突起および／または凹部を有し、鍵本体は、突起および／または凹部に係合することによって鍵カバーを鍵本体に位置決めする凹部および／または突起を有することを特徴とする。
【００１７】
この構成によれば、鍵カバーの突起および／または凹部を、鍵本体の凹部および／または突起に係合することによって、鍵カバーを鍵本体の所定位置に、容易に精度良く位置決めすることができる。
【００１８】
請求項５に係る発明は、請求項１ないし４のいずれかに記載の鍵盤楽器の鍵において、鍵本体はシャーシに回動自在に支持されており、シャーシには、緩衝材で構成され、押鍵時に、鍵本体の中実部の下面が当接することにより、鍵の下方への回動を規制するストッパが設けられていることを特徴とする。
【００１９】
この構成によれば、押鍵時に、鍵本体の中実部の下面が、シャーシに設けられた緩衝材から成るストッパに当接し、これにより鍵の下方への回動が規制される。このように、本発明の鍵では、中実部の下面がストッパに面接触状態で当接するので、下方に開放した従来の中空状の鍵が線接触状態で当接する場合よりも、鍵とストッパとの接触面積が大きい。その結果、ストッパへの鍵の食い込み量が非常に小さいので、しっかりとした鍵の止まり感を得ることができる。
【図面の簡単な説明】
【００２０】
【図１】本発明の一実施形態による電子ピアノの鍵を備えた鍵盤装置の離鍵状態における側断面図である。
【図２】図１の鍵盤装置の押鍵状態における側断面図である。
【図３】鍵カバーおよび鍵本体の斜視図である。
【図４】鍵の斜視図である。
【図５】従来の電子ピアノ用の鍵を備えた鍵盤装置の側断面図である。
【発明を実施するための最良の形態】
【００２１】
以下、本発明の好ましい実施形態を、図面を参照しながら、詳細に説明する。図１および図２は、本発明を適用した電子ピアノ（鍵盤楽器）の鍵を含む鍵盤装置を示している。これらの図に示すように、鍵盤装置１は、シャーシ２と、シャーシ２に回動自在に支持された白鍵３（１つのみ図示）および黒鍵（図示せず）からなる複数の鍵４と、鍵４ごとにシャーシ２に回動自在に支持された複数のハンマー５（１つのみ図示）などを備えている。
【００２２】
シャーシ２は、前後の連結バー６，６を介して棚板７上に固定されている。シャーシ２の上面には、その前端部（図１などの左端部）および後端部（図１などの右端部）に、白鍵３の横ぶれを防止するための白鍵用ガイド８，９が、中央部に黒鍵の横ぶれを防止するための黒鍵用ガイド１１が、その後ろ側にハンマー用軸穴１２が、さらにその後ろ側には、発音を制御する制御装置（図示せず）に接続されている鍵スイッチ１３が、白鍵用ガイド９の後ろ側には鍵用軸孔１４が、鍵４ごとにそれぞれ設けられている。さらに、シャーシ２の上面には、白鍵用ガイド８の後ろ側に、白鍵３の下方への回動を規制するための白鍵用下限ストッパ１５が、黒鍵用ガイド１１の前側に、黒鍵の下方への回動を規制するための黒鍵用下限ストッパ１６が取り付けられている。一方、シャーシ２の下面には、鍵４およびハンマー５の上方への回動を規制するための上限ストッパ１７，１８が、白鍵用および黒鍵用下限ストッパ１５，１６に対応する位置にそれぞれ取り付けられている。これらのストッパ１５〜１８はいずれも、シャーシ２の左右方向の全体にわたる１本の帯状の緩衝材、例えば表面にフェルトを貼り付けた発泡ウレタンなどで構成されている。
【００２３】
ハンマー５は、シャーシ２の上側と下側の間を通り抜けるように前後方向に延びるとともに、その前端部には質量体２１が、後部には支軸２２が設けられている。ハンマー５は、この支軸２２がシャーシ２のハンマー用軸穴１２に係合することによって、シャーシ２に回動自在に支持されている。また、ハンマー５の支軸２２よりも後ろ側の後端部が、鍵スイッチ１３に上方から対向している。
【００２４】
次に、鍵４の構成を、白鍵３を代表して説明する。白鍵３は、鍵本体２３と、鍵本体２３に取り付けられた白鍵カバー２４（鍵カバー）で構成されている。鍵本体２３は、例えば発泡ＡＢＳ樹脂（発泡合成樹脂）の成形品で構成され、所定の重さ（例えば４０ｇ）を有している。この重さは、電子ピアノ用の木製タイプの白鍵の通常の重さとほぼ同じである。鍵本体２３は、シャーシ２の上側を前後方向に延びるとともに、後端部に設けられた回動軸２５を介して、シャーシ２の鍵用軸孔１４に回動自在に支持されている。また、鍵本体２３は、木製の鍵本体に類似した色（例えば薄茶色）に着色されており、平坦な天面２６から下方に延びる中実部２７と、この左右の端から下方に延びる左右の側壁２８，２８を備えている。
【００２５】
図１および図２に示すように、中実部２７は、鍵本体２３に、その後端部を残し、全体にわたって前後方向に連続するように設けられている。鍵本体２３の後端部には、第１側壁２８ａ，２８ａ（一方のみ図示）のみが設けられており、それらの内面に前記回動軸２５，２５（一方のみ図示）が内方に突出するように設けられている。中実部２７の厚さは、前端部を除き、ほぼ一定の所定の厚さＴ（例えば１５ｍｍ）に設定されている。中実部２７の前端部は、白鍵ガイド８に対応する部分では、所定の最小厚さＴｍｉｎ（例えば５ｍｍ）に設定され、最小厚さ部２７ａになっており、また、それよりも前側の部分では、最大厚さＴｍａｘ（例えば２５ｍｍ）に設定され、前壁部２７ｂになっている。また、最小厚さ部２７ａの左右端から前壁部２７ｂの下端の高さまで、第２側壁２８ｂ，２８ｂ（一方のみ図示）が下方に延びるように設けられ、これらの第２側壁２８ｂ，２８ｂ、最小厚さ部２７ａおよび前壁部２７ｂなどで取り囲まれた空間が、白鍵ガイド８によって案内されるガイド凹部２９になっている。
【００２６】
側壁２８は、前記第１および第２側壁２８ａ，２８ｂと、第３側壁２８ｃで構成されている。左右の第３側壁２８ｃ，２８ｃ（一方のみ図示）は、中実部２７の中央から後端部にわたって、その左右端から下方に延びるように設けられている。第３側壁２８ｃ，２８ｃの前端部には、上限ストッパ部４１，４１が設けられている（図３参照）。各上限ストッパ部４１は、下方に延びるとともに、先端部が後方に屈曲しており、それにより、Ｌ字状に形成されている。なお、離鍵状態（図１に示す状態）では、各上限ストッパ部４１の先端部が、上限ストッパ１８に当接している。また、中実部２７の下面の所定位置には、アクチュエータ部４２が下方に突出するように設けられており、ハンマー５の後端部に上方から当接している。また、図３に示すように、鍵本体２３の天面２６の後部の所定位置および前面３０の下端には、位置決め用の円形の突起３１，３２がそれぞれ設けられている。
【００２７】
白鍵カバー２４は、例えばアクリル（合成樹脂）で構成され、前後方向に延びる薄肉の天板３３と、その前端から下方に延びる薄肉の前板３４によってＬ字状に形成されている。天板３３の後端および前板３４の下端には、半円形状の切欠３５，３６（凹部）が、後方および下方に開放するようにそれぞれ形成されている。そして、図４に示すように、白鍵カバー２４は、その切欠３５，３６が鍵本体２３の突起３１，３２にそれぞれ係合することによって位置決めされるとともに、鍵本体２３の天面２６および前面３０を覆った状態で、鍵本体２３に接着されている。
【００２８】
以上の構成により、図１に示す離鍵状態から白鍵３が押鍵されると、白鍵３は、白鍵用ガイド８，９によって横ぶれが防止された状態で、回動軸２５を中心として反時計回りに回動するとともに、アクチュエータ部４２がハンマー５の後端部を下方に押圧する。これに伴い、ハンマー５は、支軸２２を中心として時計回りに回動するとともに、後端部の下面が鍵スイッチ１３を押下し、オン動作させる。これにより、白鍵３の押鍵情報が検出され、その検出結果に応じて、制御装置により電子ピアノの発音が制御される。また、このときの白鍵３の下方への回動は、中実部２７の下面が、白鍵用下限ストッパ１５に当接することによって、規制される（図２に示す状態）。
【００２９】
以上のように、本実施形態の電子ピアノの白鍵３によれば、鍵本体２３に設けられた所定の厚さの中実部２７によって、所要の剛性および重さが確保される。したがって、押鍵時における白鍵３の変形を抑制でき、それにより、しっかりとしたタッチ感を得ることができる。また、従来の中空状の白鍵よりも重さが増加しており、これに伴い、白鍵３の回動軸２５回りの慣性モーメントが増加しているので、白鍵３を強く叩いたときに、木製の白鍵に近い、手応えのあるタッチ感や重量感を得ることができる。さらに、天面２６から下方に延びる中実部２７の厚さが５ｍｍ以上であるため、白鍵３を叩いたときに、空洞感のある軽い音が生じることがなく、木製の白鍵と同じ感覚で演奏することができる。
【００３０】
また、鍵本体２３が、一般的な合成樹脂よりも比重が低い発泡ＡＢＳ樹脂で構成されているので、鍵本体２３の過度の重量化を防止しながら、所要の剛性やタッチ感を確保することができる。また、鍵本体２３の天面２６および前面３０を覆い隠すように白鍵カバー２４が取り付けられているので、本実施形態のように、鍵本体２３の材料として、一般には外観が良好でない発泡ＡＢＳ樹脂を用いた場合でも、白鍵カバー２４によって、外観を良好に維持することができる。このように、鍵本体２３の外観を考慮することなく、鍵本体２３の材質として、所望の特性を有する合成樹脂を選択できる。さらに、鍵本体２３が木製の鍵本体に類似した薄茶色に着色されているので、押鍵時に、鍵本体２３の側面が見えたときに、木製の白鍵のように見せることができる。
【００３１】
また、白鍵カバー２４を鍵本体２３に取り付ける際に、白鍵カバー２４の切欠３５，３６を、鍵本体２３の突起３１，３２に係合させることによって、白鍵カバー２４を鍵本体２３の所定位置に、容易に精度良く位置決めすることができる。
【００３２】
また、押鍵時に、中実部２７の下面が、白鍵用下限ストッパ１５に面接触状態で当接するので、下方に開放した従来の中空状の白鍵が線接触状態で当接する場合よりも、白鍵３と白鍵用下限ストッパ１５との接触面積が大きい。その結果、白鍵用下限ストッパ１５への白鍵３の食い込み量が非常に小さくなり、しっかりとした白鍵３の止まり感を得ることができる。
【００３３】
なお、本発明は、説明した実施形態に限定されることなく、種々の態様で実施することができる。例えば、実施形態は本発明を白鍵３に適用した例であるが、本発明を黒鍵にも適用できることはもちろんである。また、鍵本体２３に突起３１，３２が、白鍵カバー２４に切欠３５，３６（凹部）がそれぞれ設けられているが、これらを逆に配置してもよく、さらに、鍵本体２３および白鍵カバー２４のぞれぞれに、凹部と突起を混在させて設けてもよい。
【００３４】
また、本実施形態では、鍵本体２３の重さを電子ピアノ用の木製タイプの白鍵の通常の重さとほぼ同じ４０ｇに設定しているが、これに限らず、他の所望の任意の重さに設定してもよい。また、実施形態では、中実部２７の厚さを鍵本体２３の全体にわたってほぼ一定に設定しているが、厚さを前後方向に異ならせてもよく、これにより、同じ重さの鍵本体でありながら、鍵本体の回動軸回りに作用する慣性モーメントを変更することができ、それにより、所望のタッチ感やタッチ重さを得ることができる。鍵本体２３は合成樹脂で構成されているので、木製の場合と異なり、上述したような中実部の厚さやその分布の変更を容易に行うことができる。
【００３５】
また、白鍵カバー２４がアクリルで構成されているが、他の合成樹脂、例えばＡＢＳ樹脂や人工象牙で構成してもよい。特に人工象牙の場合には、触感が良好であるという利点を有する一方、高価かつ乾湿による寸法変化が大きいという欠点がある。これに対し、本発明では、白鍵カバー２４が鍵本体２３を基材としてこれを覆うように部分的に用いられるので、上記の欠点を抑制しながら触感が良好であるという利点を効果的に引き出すことができる。
【００３６】
その他、本発明の趣旨の範囲内で、細部の構成を適宜、変更することが可能である。また、実施形態は、本発明を電子ピアノに適用した例であるが、本発明は、これに限らず、シンセサイザなどの他のタイプの電子楽器に適用することも、もちろん可能である。
【符号の説明】
【００３７】
２  シャーシ
３  白鍵
４  鍵
１５  白鍵用下限ストッパ（ストッパ）
２３  鍵本体
２４  白鍵カバー（鍵カバー）
２６  天面
２７  中実部
３１  突起
３２  突起
３５  切欠（凹部）
３６  切欠（凹部）
【図１】
2005195987.tif 000003
【図２】
2005195987.tif 000004
【図３】
2005195987.tif 000005
【図４】
2005195987.tif 000006
【図５】
2005195987.tif 000007